(57)【特許請求の範囲】
【請求項１】
（１）イ．有機溶媒および／または水の中でゲルを形成し得るイオン性キラル有機化合物と、該イオン性キラル有機化合物と同じキラリティを有し有機溶媒および／または水の中でゲルを形成し得るノニオン性キラル有機化合物との混合物、ならびに、
ロ．金属酸化物の前駆体、該金属酸化物の前駆体からゾルゲル反応により金属酸化物重合体を生成するための触媒および水から成るゾルゲル反応溶液（但し、ゾルゲル反応溶液の溶解性が充分でない場合には該金属酸化物の前駆体、触媒、水を溶解し得る溶媒を加えてもよい）を混合して均一混合液を調製する工程（但し、混合を円滑にするため、それらのキラル有機化合物とゾルゲル反応溶液とを溶解し得る有機溶媒を用いてもよい）、
（２）イ．（前記有機溶媒を用いた場合には前記均一混合液から前記有機溶媒を除去するか、）
ロ．前記均一混合液を加熱した後、冷却するか、または
ハ．前記均一混合液を冷却する、
ことにより前記有機キラル化合物のゲルを形成させる工程、ならびに
（３）前記ゲル形成した系を保持して、金属酸化物の重合を進行させる工程、
を含むことを特徴とする、一定の向きの螺旋構造を有するキラル有機化合物の表面に金属酸化物が付着した有機無機複合体を製造する方法であって、
前記イオン性キラル有機化合物が式（Ｉ）で表されるカチオン性キラル有機化合物であるジアミノシクロヘキサン誘導体から選ばれ、前記ノニオン性キラル有機化合物が式（II）で表されるジアミノシクロヘキサン誘導体から選ばれ、ここで、該カチオン性キラル有機化合物およびノニオン性キラル有機化合物の全量に対して、カチオン性キラル有機化合物が３０〜８５重量％であり、また、金属酸化物がシリカであることを特徴とする方法。
【化１】
0004252188.tif 000006
【化２】
0004252188.tif 000007
〔式（Ｉ）中、ｎは５〜２０の整数であり、Ｘはハロゲン原子を表し、また、式（II）中、ｍは６〜２１の整数である。〕
【請求項２】
請求項１の方法により得られた有機無機複合体からキラル有機化合物を除去することを特徴とする中空糸状で一定の向きの螺旋状のシリカの製造方法。
【請求項３】
焼成によりキラル有機化合物を除去することを特徴とする請求項２の中空糸状で螺旋状のシリカの製造方法。
【発明の詳細な説明】
【０００１】
【発明の属する技術分野】
本発明は、触媒等の各種の機能性材料として利用することができる有機無機複合体および金属酸化物に関し、特に、螺旋構造のそれらの構造体をその螺旋の向きを制御して製造する新規な方法に関する。
【０００２】
【従来の技術】
無機多孔材料はその表面積の大きさおよび孔径に起因する分子の選択性から、触媒やその支持材料または吸着材料、クロマトグラフ用材料等として多用され、更なる改良が試みられている。これらの多孔材料の調製には何らかの鋳型を用いる方法が使われておりゼオライト等のマイクロポーラス材料の調製には有機低分子化合物、メソポーラス材料では界面活性剤やブロック共重合体、またマクロポーラス材料ではエマルジョンをそれぞれ用いた例がある。また多孔材料の中でも繊維状もしくは中空状の無機材料が酒石酸の分子状会合体やカーボンファイバー、カーボンナノチューブを鋳型として合成されている。一方、生体物質の機能を利用する所謂Biomineralizationに関する研究においても生体物質を鋳型にして様々な形態の無機材料を作り出す試みが試されており、自己組織化した脂質チューブを用いた円筒状の有機無機複合体等も得られている。しかしながら、これまで、有機低分子ゲルを鋳型にして有機無機複合材料や無機材料を調製した例はない。多様な形態を示すこれらのゲル構造を反映した材料は特異な形態に基づく異方性を持った材料として各種の応用展開が期待される。例えば、繊維状のゲル、すなわち、直線状またはヘリックス状の細長い糸状のゲルを鋳型とすることにより、新しいタイプの機能性有機ゲルと無機物質との複合材料や多孔無機材料が得られるものと期待されるが、そのような材料を具現化した技術は見当たらない。
【０００３】
本発明者らは、先に、繊維状の有機低分子ゲルを鋳型とし、このゲル上で、シリカのような金属酸化物のゾルからゾルゲル反応により該金属酸化物の重合体を生成させることにより、有機低分子のゲルの構造を反映した有機無機複合体およびそれから有機物質を除去した中空糸状金属酸化物を得ることができる技術を開示した（特開平１１−１０８９２２号）。鋳型となる有機低分子として特に好ましいのは、アゾベンゼン部位を有するコレステロール誘導体であり、例えば、アゾベンゼン部位を有するとともに、一端にカチオン性部位（アンモニウム塩）を有するコレステロール誘導体を用いることによりヘリックス（螺旋）状の中空糸状シリカが得られる。
【０００４】
本発明者らは、さらに、特願平１１−１０８９２２号に開示された技術を改良するものとして、特定の官能基で置換されたアザクラウン環を有するコレステロール誘導体から形成された予め金属を保持し一定の向きの螺旋構造を呈するゲルを鋳型として、螺旋状の金属酸化物に該金属とは別異の金属が固着した構造体が得られることも明らかにしている（特願平１１−３１９０７０号）。
【０００５】
上述の特許出願に開示された技術は、触媒等として有用な螺旋状の構造体を得ることのできる数少ない技術であるが、いずれも、比較的高価な特殊な有機化合物を使用している。
【０００６】
本発明の目的は、キラリティの関与する反応に対する触媒等として有用な一定の向きを有する螺旋構造（へリックス構造）のミクロ構造体を製造することができる、より一般的な新しい技術を提供することにある。
【０００７】
【課題を解決するための手段】
本発明者は、ゲル化能があり同一のキラリティを有するイオン性およびノニオン性のキラル有機化合物を併用し、これらのキラル有機化合物のゲルを鋳型とすることによって螺旋の向きが制御された構造体が得られることを見出し、本発明を導き出した。
【０００８】
かくして、本発明は、
（１）イ．有機溶媒および／または水の中でゲルを形成し得るイオン性キラル有機化合物と、該イオン性キラル有機化合物と同じキラリティを有し有機溶媒および／または水の中でゲルを形成し得るノニオン性キラル有機化合物との混合物、
ロ．金属酸化物の前駆体、該金属酸化物の前駆体からゾルゲル反応により金属酸化物重合体を生成するための触媒、水、および、必要により該金属酸化物の前駆体、触媒、水を溶解し得る溶媒から成るゾルゲル反応溶液、ならびに、
ハ．必要により前記有機キラル化合物と前記ゾルゲル反応溶液とを溶解し得る有機溶媒、
を含有する均一混合液を調製する工程、
（２）イ．前記均一混合液から前記有機溶媒を除去するか、
ロ．前記均一混合液を加熱した後、冷却するか、または
ハ．前記均一混合液を冷却する、
ことにより前記有機キラル化合物のゲルを形成させる工程、ならびに
（３）前記ゲル形成した系を保持して、金属酸化物の重合を進行させる工程、
を含むことを特徴とする、一定の向きの螺旋構造を有するキラル有機化合物の表面に金属酸化物が付着した有機無機複合体の製造方法を提供する。
【０００９】
本発明の有機無機複合体の製造方法の好ましい態様においては、イオン性キラル有機化合物は式（Ｉ）で表されるジアミノシクロヘキサン誘導体から選ばれ、ノニオン性キラル有機化合物は式（II）で表されるジアミノシクロヘキサン誘導体から選ばれる。
【００１０】
【化３】
0004252188.tif 000002
【００１１】
【化４】
0004252188.tif 000003
式（Ｉ）中、ｎは５〜２０の整数であり、Ｘはハロゲン原子を表し、また、式（II）中、ｍは６〜２１の整数である。
【００１２】
本発明の有機無機複合体の製造方法の別の好ましい態様においては、金属酸化物はシリカである。
【００１３】
本発明は、さらに、以上のような方法により得られた有機無機複合体からキラル有機化合物を除去することを特徴とする中空糸状で一定の向きの螺旋状の金属酸化物の製造方法も提供する。本発明に従う中空糸で螺旋状の金属酸化物の製造方法においては、焼成によりキラル有機化合物を除去する。
【００１４】
本発明は、さらに別の視点として、上記の方法により製造され、内側がキラル有機化合物で、外側が金属酸化物から成り直径がナノメータのオーダーの二重円筒構造が螺旋状を呈していることを特徴とする有機無機複合体も提供する。さらに、本発明は上記の方法により製造される中空糸状で螺旋状の金属酸化物も提供する。
【００１５】
【発明の実施の形態】
金属のアルコキシドが触媒により重合し架橋しながら金属酸化物重合体を生成しゲル化することはよく知られている。本発明はこのようなゾルゲル反応をキラルな有機化合物のゲルを鋳型として該有機化合物上で起こし、ゾルゲル反応終了後、その鋳型の構造に応じて、一定の向きの螺旋構造の有機無機化合物および金属酸化物が得られるようにしたものである。
【００１６】
以下、本発明の有機無機複合体および金属酸化物の製造方法、およびそれらの構成する各要素に沿って本発明の特徴を詳述する。
製造方法
（１）：ゾルゲル反応溶液を含む混合液の調製：
本発明に従い螺旋構造の有機無機複合体および中空糸状金属酸化物を製造するには、先ず、キラル有機化合物とゾルゲル反応溶液とを混合して、それらを含有する均一な混合液を調製する。
ここで、本発明において用いるキラル有機化合物については後述する。一方、ゾルゲル反応溶液は、目的のゾルゲル反応系にもよるが、ゾルゲル反応が進行するような当初のゾルが形成されるように、少なくとも、金属酸化物（無機材料）の前駆体（金属酸化物の出発原料：金属アルコキシド、金属クロリド、金属ジケトネート等）、該金属酸化物の前駆体からゾルゲル反応により金属酸化物を生成するための触媒（酸、アルカリ、アミン等）、および水を含まなければならない。但し、これだけではゾルゲル反応系の溶解性が充分でない場合には、それらの前駆体、触媒、水を溶解し得るような溶媒を使用する。
さらに、必要により、混合を円滑にするため、有機低分子とゾルゲル反応溶液とを溶解し得る有機溶媒を用いる。
【００１７】
（２）ゲルの形成：
本発明の方法においては、このようにして得られた混合液中においてキラル有機化合物のゲルを形成させる。ここで、本発明に関連して用いるゲルという語は、一般的には、溶媒を完全に束縛して固まっている状態を指称するが、系を傾け軽い衝撃を与えると流動する程度にキラル有機化合物が互いに結合して繊維を形成している状態も含むものとする。このゲル形成の工程は以下のようにして行う。
キラル有機化合物のゲル形成の生じる温度が室温またはそれ以上である場合には、混合を円滑に行うためにキラル有機化合物とゾルゲル反応溶液との両者を溶解する有機溶媒を添加して調製した均一混合液から、溶解するために加えた有機溶媒を除去することによりゲルを形成させる。この有機溶媒の除去は、一般に、減圧乾燥により行う。また、キラル有機化合物が加熱に耐えられる場合は、上記の均一混合液を加熱した後、室温に冷却してゲルを形成する。さらに、ゲル形成温度が室温以下の場合には、キラル有機化合物とゾルゲル反応溶液とを室温で混合し、系を冷却することによりゲルを形成する。この工程中に、後述するようにキラル有機化合物のキラリティに応じて螺旋繊維状構造のキラル有機化合物のゲルが先行して形成され、金属酸化物のゾルゲル反応が一部進行する。
【００１８】
（３）金属酸化物の重合：
本発明に従い有機無機複合体を製造するには、次に、上記のようにゲルが形成した系を、該ゲルが壊れないような条件下に保持しながら、金属酸化物の重合を更に進行させる。すなわち、室温でゲル形成が生じたような系は室温下に、また、冷却によってゲルが形成したような系は、その冷却温度に、適当時間（一般に、数日間以上）保持すれば、金属酸化物のゾルゲル反応により加水分解、重縮合が進行し、金属酸化物の重合度が上がり溶液中に溶解し得なくなった金属酸化物が螺旋構造のキラル有機化合物のゲルの表面に付着、析出する。後に詳述するように、ゲル化能を有しキラリティが同じイオン性のキラル有機化合物とノニオン性のキラル有機化合物を組み合わせて使用することにより、静電力によりシリカ等の金属酸化物を付着させるのに適度のイオン性を有するキラル有機化合物のゲルが形成されるものと推測される。
【００１９】
（４）有機無機複合体および金属酸化物の調製：
以上のような工程の後、乾燥を行い、余分な溶媒を除去し、螺旋状のゲル構造のキラル有機化合物を残せば、一定の向きの螺旋構造を有するキラル有機化合物の表面に、金属酸化物前駆体由来の金属酸化物が付着した有機無機複合体が得られる。さらに、キラル有機化合物を除去すれば、螺旋状で中空糸状の金属酸化物となる。キラル有機化合物の除去は、溶媒を用いて溶出させることにより可能な場合もあるが、一般に、本発明の複合体における有機化合物は金属酸化物の外壁により強く保護され耐溶剤性を有するので、焼成により行うのが好ましい。
【００２０】
キラル有機化合物
本発明に従えば、有機溶媒および／または水の中でゲルを形成することができ、互いに同じキラリティを有するイオン性のキラル有機化合物とノニオン性（非イオン性）のキラル有機化合物の混合物を使用し、このキラル有機化合物から形成されたゲルを鋳型とし、これにシリカ等の金属酸化物を付着させて、螺旋構造を有する有機無機複合体および金属酸化物を得ることができる。
【００２１】
ここで、本発明において用いられるキラル有機化合物とは、キラリティを有する有機化合物、すなわち、よく知られているように、不斉原子を有するかまたは分子全体が不斉であり（より正確に表現すれば回映対称をもたず）光学活性対掌体が存在する有機化合物である。本発明においては、このようなキラル有機化合物のうち、ゲルを形成し易いような分子構造、すなわち、一般的には、分子同士が一次元的に重なり合って結合し得るような分子構造を有するもの（三次元的に結合するものは結晶化してしまう）から、互いに同じキラリティのイオン性キラル有機化合物とノニオン性キラル有機化合物（すなわち、Ｒ−対掌体同士またはＳ−対掌体同士）を組み合わせて使用する。
【００２２】
本発明において用いられるイオン性キラル有機化合物およびノニオン性キラル有機化合物として特に好適な例は、それぞれ、前述の式（Ｉ）および（II）で表されるジアミノシクロヘキサン誘導体である。その他の好ましい例は、図１に示している。（なお、本明細書および図面に示す化学構造式においては慣用的な表現法に従い、炭素原子および水素原子を省略している。）
【００２３】
式（I）、（II）、（III）、（IV）、（V）、（VI）および（VII）で表される化合物は不斉原子（不斉炭素：式中＊を付けている）を有し、ゲル化能を示す化合物の例である。イオン性キラル有機化合物およびノニオン性キラル化合物として、それぞれ、（Ｉ）と（II）、（III）と（VI）、（IV）と（VII）、（Ｖ）と（VIII）を組み合わせて使用する。これから理解されるように、良好なゲルを形成するためには、イオン性キラル有機化合物とノニオン性キラル有機化合物は、イオン性化合物の電荷部位とノニオン性化合物の対応する部位を除いては、互いに、分子全体として同一または類似の構造を有するものを使用するのが望ましい。例えば、（Ｉ）と（II）の場合、アルキル鎖部分は実質的に長さが等しいか近似しており、ｎ＝ｍ〜ｍ±３程度になるようにすることが望ましい。
【００２４】
また、イオン性のキラル有機化合物としてはカチオン性のもののみを例示しているが、ゲルに付着する金属酸化物（金属酸化物前駆体）の等電点に応じてカチオン性またはアニオン性のキラル有機化合物を使用する。例えば、シリカの等電点はｐＨが約２であり、ゲルへの付着が行われるｐＨ条件下では一般に負の電荷を有するものとして挙動するので、これが付着するようにカチオン性のキラル有機化合物を使用する。しかし、金属酸化物としてアルミナを使用する場合には、その等電点は９であるので、これをキラル化合物のゲルから成る鋳型に付着させるような場合はアニオン性のキラル有機化合物を用いることも可能である。
【００２５】
本発明の特徴は、以上のようなゲル化能を有し且つ同じキラリティを有するイオン性およびノニオン性のキラル化合物の両方を組み合わせて使用することによって、これらのキラル有機化合物のゲルを鋳型としてそのキラリティに応じて螺旋の向きが制御された、すなわち、右巻きまたは左巻きのいずれか一方の向きの螺旋構造を有する有機無機複合体および金属酸化物を製造できることにある。
【００２６】
上述したようなゲル化能を有するイオン性キラル有機化合物またはノニオン性キラル有機化合物はキラリティを有するので、それぞれ単独でも鋳型となる螺旋構造のゲルを形成すると考えられる。しかしながら、後の実施例にも示すように、イオン性キラル有機化合物またはノニオン性キラル有機化合物のいずれか一方のみを使用したりいずれか一方が多すぎる（少なすぎる）場合には、単純な円筒状または粒子状のものしか形成せず、螺旋状の構造体は得られない。これは、イオン性のキラル有機化合物のみを使用したり多すぎる場合には、それから形成されたゲルの表面とシリカ等の金属酸化物（金属酸化物前駆体）との間の静電的相互作用が強すぎるために、シリカ等の金属酸化物が不規則に多量に付着してしまいキラリティが発現されないためと考えられる。また、ノニオン性キラル有機化合物のみを使用したり多すぎる場合には、該キラル有機化合物由来のゲルにシリカ等の金属酸化物が付着しないのであろう。
【００２７】
これに対して、本発明においては、同じキラリティを有し分子構造の酷似したイオン性およびノニオン性のキラルなゲル化能を有する有機化合物が共同して、それらのキラリティに応じた螺旋構造を呈し適度な大きさの表面電荷を有するゲルを形成し、これを鋳型としてその表面にシリカ等の金属酸化物が付着し、そのキラリティ（螺旋の向き）を保持した構造体が得られるものと推測される。螺旋状の構造体を得るのに用いられるカチオン性キラル有機化合物とノニオン性キラル有機化合物の比率は、それらの種類にもよるが、一般的には、いずれか一方を少なくとも１０〜１５重量％使用することが必要である。ゲル状態のキラリティは、例えば、ＣＤ（円二色性）スペクトルを測定することにより知ることができる。
【００２８】
金属酸化物（無機材料）
ゾルゲル反応の進行過程における金属酸化物の表面電荷は金属の種類と溶液のｐＨによって変化するので、キラル有機化合物のゲルの表面に静電的に付着しやすいように金属の種類とｐＨを選ぶ必要があるが、本発明において用いられ得る金属酸化物の種類に基本的に制限はない。例えば、シリカ、アルミナ、ボレイトの他、チタニア、ジルコニア、ヘマタイト等の遷移金属酸化物が挙げられる。
金属酸化物を与えるゾルゲル反応の前駆体（出発物質）としてはこれらの金属のアルコキシドおよびクロリド、ジケトネート等が挙げられる。具体的にはシリカでは、テトラエトキシシラン、メチルトリエトキシシラン、テトラクロロシラン、アルミナではアルミニウムトリ−ｓｅｃ−ブトキシド、アルミニウム（III）２，４−ペンタンジオネート、ボレイトではトリメトキシボラン、チタニアではチタンエトキサイド、ジルコニアではジルコニウムテトラ−ｎ−ブトキサイド等である。
【００２９】
ゾルゲル反応溶液
ゲル状態の繊維状で螺旋状のキラル有機化合物の表面への金属酸化物の付着を効率的に進めるために、溶液の組成は金属酸化物重合体が低重合度のうちに析出する組成が望ましい。すなわち、アルコールやＴＨＦ等の金属酸化物に対する溶解度の大きな有機溶媒を多く含まない組成でなければならない。
また金属酸化物の表面電荷はその金属の電気陰性度と溶液のｐＨによって決まるので、鋳型分子を効率的に付着する符号になるｐＨを金属の種類に応じて変化する必要がある。例えば、カチオン性キラル化合物とノニオン性キラル化合物を用いた場合のゲルはカチオン性となり、これに対して、酢酸主体のゾルゲル溶液中（ｐＨ≒５）でのシリカ表面はアニオンと考えられ、鋳型分子であるゲルの繊維構造表面に金属酸化物が静電引力的に付着し成長すると考えられる。
金属酸化物（無機材料）の含有量がキラル有機化合物に比べ多すぎると乾燥時の金属酸化物の収縮によって有機化合物が圧縮され中空状構造をとりにくくなるし、金属酸化物同士の融合が生じ独立した繊維状構造にならないので望ましくなく、また少なすぎると金属酸化物の中空状構造が脆弱になる。有機無機複合体に対し金属酸化物の量は重量比で一般に２０〜９０％である。
【００３０】
有機無機複合体と金属酸化物の特性
本発明の有機無機複合体は、繊維状のキラル有機化合物の表面に金属酸化物が付着した構造、すなわち、内側がキラル有機化合物であり、外側が金属酸化物である二重円筒状構造から成る（すなわち、円柱状のキラル有機化合物の外側に金属酸化物が存在する円環状の横断面を呈する）。該円筒の直径（最外径）はナノメータのオーダー、すなわち、一般的には数ｎｍから数百ｎｍ（例えば、約３０〜２００ｎｍ）である。そして、内側のキラル有機化合物は、そのキラリティに応じた向きの鋳型ゲルのヘリックス構造（螺旋構造）を保持しているので、有機無機複合体としても全体的に螺旋状を呈する。
【００３１】
このような有機無機複合体から既述のようにキラル有機化合物を除去すると、キラル化合物の大きさに対応する内径を有する円筒状構造、すなわち、内径がナノメータのオーダー（例えば、約１０〜１００ｎｍ）の中空糸状で且つ螺旋状の金属酸化物構造体が得られる。
【００３２】
本発明の有機無機複合体は、中空糸状で螺旋状の金属酸化物（例えば、シリカ）の前駆体として有用であるが、それ自身も各種の用途が期待される。例えば、本発明の有機無機複合体は、中空糸内部に触媒活性のあるキラル有機化合物を残すことにより、外側の螺旋状金属酸化物の形態（螺旋方向等）に親和性を持つ分子のみを触媒変性させることが可能である。
【００３３】
他方、本発明の中空糸状で螺旋状の金属酸化物は、中空糸の外表面、内表面のいずれをも利用して触媒、吸着剤等への応用が可能であり、特に、一定の向きの螺旋構造を有するので、キラリティの関与する反応に対する触媒または触媒支持体としての利用が期待される。その他、本発明の中空糸状金属酸化物は、繊維状態であるため嵩高く、これに加えて中空構造のため断熱効果が高く、金属酸化物の耐熱性が高いことから断熱材としても優れている。
【００３４】
【実施例】
以下に本発明の特徴をさらに明らかにするため実施例を示すが、本発明はこの実施例によって制限されるものではない。
実施例１：キラル有機化合物の合成
有機無機複合体および金属酸化物を調製するための鋳型となるゲル化性キラル有機化合物として、図２に示す反応スキームに従って１〜４のジアミノシクロヘキサン誘導体を合成した。２および４は既述の式（Ｉ）においてｎ＝１０に相当するカチオン性キラル有機化合物であり、１および３は既述の式（II）においてｍ＝１１に相当するノニオン性キラル化合物である。
【００３５】
（１）化合物７および８：トランス（１Ｒ，２Ｒ−または１Ｓ，2Ｓ−）−ジアミノシクロヘキサン（１．０ｇ、８．５７ｍｍｏｌ）および１１−ブロモウンデカン酸（７．６６ｇ、３５．０１ｍｍｏｌ）を窒素雰囲気下、３０ｍｌのＴＨＦに溶かした。得られた溶液を室温に保持した。次いで、ジシクロヘキシルカルボジイミド（７．２ｇ、８．５７ｍｍｏｌ）およびジメチルアミノピリジン（０．４０ｇ、０．８５７ｍｍｏｌ）を添加し、混合液を室温下に４８時間攪拌した。反応混合物をろ過し、酸性水溶液および塩基性水溶液（５０ｍｌ）で抽出した。蒸発器で有機相を蒸発させ、残留物をＴＨＦ／ヘキサン（１：２ｖ／ｖ）を溶出液とするシリカゲルカラムで精製して、化合物７および８（収率はそれぞれ５７％および６０％）を得た。1Ｈ−ＮＭＲ：δＨ（３００ＭＨｚ）：６．１５（２Ｈ，ｓ）、３．７５（２Ｈ，ｓ）、３．３７（４Ｈ，ｔ，Ｊ＝６．０）、２．１７−１．２６（４Ｈ，ｍ）。ＩＲ：３３５０、２９８０、１６０３、１１１６、１０４７ｃｍ−1。
【００３６】
（２）化合物１および３：トランス（１Ｒ，２Ｒ−または１Ｓ，２Ｓ）−ジアミノシクロヘキサン（１．０ｇ、８．５７ｍｍｏｌ）、塩化ラウロイル（７．６６ｇ、３５．０２ｍｍｏｌ）およびトリエチルアミン（３．５４ｇ、３５．０１２ｍｍｏｌ）をＴＨＦ（３０ｍｌ）に溶かし、４８時間還流した。得られた溶液を冷却し、ろ過した後、真空蒸発して溶媒を除去した。残留物を酢酸エチル／ヘキサン（１：２ｖ／ｖ）を溶出液とするシリカゲルで精製して、所望の化合物１および３を得た。収率は、それぞれ、５０％および５５％。元素分析（Ｃ30Ｈ58Ｎ2Ｏ2として）：計算値（Ｃ，７５．２６；Ｈ，１２．２１；Ｎ，５．８５；Ｏ，６．６８％）、実測値（Ｃ，７５．０、Ｈ，１２．５；Ｎ，５．７％）。1Ｈ−ＮＭＲ：δＨ（３００ＭＨｚ）：６．１５（２Ｈ，ｓ）、３．７５（２Ｈ，ｓ）、３．３７（４Ｈ，ｔ，Ｊ＝６．０）、２．１７−１．２５（４４Ｈ，ｍ）、０．８７（６Ｈ，ｔ，Ｊ＝５．７）。ＭＳ（ＳＩＭＳ）＝４７８[Ｍ＋Ｈ]+。ＩＲ：３３５０、２９８０、１７２２、１６０３、１１１６、１０４７ｃｍ-1。
【００３７】
（３）化合物２および４：化合物７または８、およびトリエチルアミンをＴＨＦ／ＤＭＦ（９：１ｖ／ｖ）に溶かし、得られた混合物を室温下に２４時間攪拌した。真空蒸発により溶媒を除去し、化合物１および３の場合と同様に精製することにより、化合物２および４を得た。元素分析（Ｃ34Ｈ70Ｂｒ2Ｎ4Ｏ2として）：計算値（Ｃ，５６．１９；Ｈ，９．７１；Ｂｒ，２１．９９；Ｎ，７．７１；Ｏ，４．４０％）実測値（Ｃ，５６．５、Ｈ，９．２；Ｎ，８．０％）。1Ｈ−ＮＭＲ：δ（３００ＭＨｚ）：７．２６（２Ｈ，ｓ）、４．０１−３．４５（２０Ｈ，ｍ）、２．４０（４Ｈ，ｔ，Ｊ＝６．０）、２．１７−１．２５（３８Ｈ，ｍ）、０．８７（６Ｈ，ｔ，Ｊ＝５．７）。ＭＳ（ＳＩＭＳ）＝７２５[Ｍ＋Ｈ]+。ＩＲ：３３５０、２９８０、１７２２、１６０３、１１１６、１０４７ｃｍ-1。
【００３８】
実施例２：キラル有機化合物のゲル化能試験およびゲルの構造分析
実施例１で合成した化合物１〜４を用い、各種の溶媒に対するゲル化能を調べた。ゲル化能試験は次のように行った：化合物１〜４（それぞれ３ｍｇ）をキャップ付試験管内で溶媒と混合して化合物１〜４のぞれぞれの濃度が５重量％となるようにし、固形分が溶解するまで加熱した。得られた溶液を室温に冷却し、１時間放置してゲルの形成を観察した。その結果を表１に示す。
【００３９】
【表１】
0004252188.tif 000004
【００４０】
以上の結果から、化合物１〜４は、各種の溶媒に対してゲル化能を有し、特にノニオン性化合物１および３は表に示す全ての溶媒に対して優れたゲル化剤として機能することが確かめられた。
次に、カチオン性キラル有機化合物とノニオン性キラル有機化合物を併用して得られるゲルの構造を調べるためにＣＤ（円二色性）スペクトルの測定を行った。図３は、ゲル化剤として化合物１＋化合物２または化合物３＋化合物４の混合物（５０／５０重量％）を使用した場合のゲル状態アセトニトリル溶液のＣＤスペクトルチャートである。Ｒ−対掌体混合物（化合物１＋化合物２）のＣＤスペクトルは第一コットン効果が負のサインを示しており、左巻き（反時計方向）の螺旋が形成していることが示唆された。一方、Ｓ−対掌体混合物（化合物３＋化合物４）のＣＤスペクトルは、第一コットン効果が正のサインを示しており、右巻き（時計方向）の螺旋を形成していることが示唆された。
【００４１】
このことは、溶媒（アセトニトリル）を除去したキセロゲルの顕微鏡観察によっても確認された。図４は、上述のゲル状態のアセトニトリル溶液をゾル−ゲル転移温度（化合物１＋２については３９．５〜４０．２℃、化合物３＋４については３５．２〜３７．０℃）以下で凍結乾燥することによりアセトニトリルを除去して得られたキセロゲルの走査型電子顕微鏡写真である。いずれも２０〜６０ｎｍの幅の螺旋繊維状の凝集体が形成しており、Ｒ−対掌体混合物（化合物１＋２）を使用した場合は（図４のＡ）繊維の向きは左巻きであり、また、Ｓ−対掌体混合物（化合物３＋４）を用いた場合（図４のＢ）は繊維の向きは右巻きであることが認められる。
【００４２】
実施例３：有機無機複合体および金属酸化物の製造
実施例２に示されるように、化合物１＋化合物２または化合物３＋化合物４を併用することにより、溶媒中で一定の向きの螺旋状のゲルが形成されることが確認されたので、次に、このような螺旋構造のゲルを鋳型とするゾル−ゲル反応による螺旋構造の有機無機複合体および金属酸化物の製造を試みた。
【００４３】
先ず、アセトニトリル（８０．０ｍｇ）、ＴＥＯＳ（テトラエトキシシラン）（８．０ｍｇ）、水（４．０ｍｇ）、および触媒としてベンジルアミン（４．０ｍｇ）から成るゾルゲル反応溶液に、化合物１＋化合物２または化合物３＋化合物４の混合物（それぞれ、混合物の全重量３．０ｍｇとし、化合物１／化合物２または化合物３／化合物４の比率を変えた）を添加して均一な混合液を調製した。混合の初期から白濁しゲル化が見られた。これを室温下に７日間放置した。
【００４４】
次いで、これを室温で開放した条件で２日間乾燥後、真空下６０℃で５時間乾燥して有機無機複合体を得た。図５に、化合物１／化合物２が５０／５０（重量％）の場合のこの複合体のＳＥＭ（走査電子顕微鏡）写真を示す。化合物３／化合物４が５０／５０（重量％）の場合の複合体についても同様のＳＥＭ写真が得られた。これらの写真から二重円筒構造で螺旋状を呈し、円筒の直径（最外径）は、約５０〜２００ｎｍであることが分った。また、化合物１＋化合物２を用いた場合は螺旋は左巻きであり、化合物３＋化合物４を用いた場合は右巻きであり、ゲル状態のキラリティを反映していることが理解された。
【００４５】
さらに、窒素気流下２００℃で２時間乾燥し、次いで５００℃で２時間、最後に空気気流下で５００℃、４時間焼成し金属酸化物（シリカ）を得た。得られたシリカの構造をＴＥＭ（透過型電子顕微鏡）で観察した。その結果を表２に示す。
【００４６】
【表２】
0004252188.tif 000005
【００４７】
表２に示されるように、カチオン性の化合物２または化合物４が３０〜８５重量％の場合に螺旋構造のシリカが形成され、１００％であったり少なすぎると従来から見られるような単純な円筒形（非螺旋）のシリカしか得られない。さらに、ゲル構造のキラリティに応じて化合物１と化合物２を用いた場合は左巻きの螺旋構造、化合物３と化合物４を用いた場合は右巻きの螺旋構造が形成されており、ゲル構造がシリカに忠実に転写されていることが理解される。ＴＥＭの観察結果から得られるシリカの外径は１００〜１５０ｎｍ、内径２０〜６０ｎｍ程度である。図６は、代表例として化合物１／化合物２（図６のＡ）または化合物３／化合物４（図６のＢ）が５０／５０（重量）の場合のＴＥＭ写真を示す。
【図面の簡単な説明】
【図１】本発明において用いられるのに好適なカチオン性キラル有機化合物およびノニオン性キラル化合物を例示する。
【図２】本発明において用いられるのに好適なキラル有機化合物であるジアミノシクロヘキサン誘導体を合成する反応スキームを示す。
【図３】本発明において鋳型となる有機ゲルのＣＤスペクトルの例を示す。
【図４】本発明において鋳型となる有機ゲル（キセロゲル）の結晶構造を示す透過型電子顕微鏡写真である。
【図５】本発明の有機無機複合体の１例の結晶構造を示す透過型電子顕微鏡写真である。
【図６】本発明の金属酸化物の１例の結晶構造を示す透過型電子顕微鏡写真である。
【図１】
0004252188.tif 000008
【図２】
0004252188.tif 000009
【図３】
0004252188.tif 000010
【図４】
0004252188.tif 000011
【図５】
0004252188.tif 000012
【図６】
0004252188.tif 000013